(57)【特許請求の範囲】
【請求項１】
一定の関連を有する複数の静止画を取得する画像取得手段と、
前記取得した各静止画を一定時間毎に順々に切り替えながら切替表示を行う表示手段と、
前記切替表示が、画像表示装置におけるユーザーからの指定の繰り返し回数に到達したか否かを判定する判定手段と、
前記判定手段によって前記繰り返し回数に到達したと判定されたときは、前記切替表示を終了する表示制御手段とを備えることを特徴とする画像表示装置。
【請求項２】
請求項１に記載の画像表示装置において、
外部からの指示に応じて表示画の切替表示を一時停止する一時停止手段をさらに備えることを特徴とする画像表示装置。
【発明の詳細な説明】
【０００１】
【発明の属する技術分野】
本発明は、長尺フィルムの読み取り画像を表示する画像表示方法、長尺フィルムの画像を読み取る画像読取装置及び制御手順を記憶する記憶媒体に関する。
【０００２】
【従来の技術】
カメラで撮影したフィルムの画像を読み取る画像読取装置は、フィルムスキャナとして知られている。このフィルムスキャナは、制御装置であるホストコンピュータの指示の下でネガフィルムやリバーサルフィルムの画像を読み取り、それをホストコンピュータに出力する。ホストコンピュータは、モニタ画面にフィルムのコマ画像を表示する。
【０００３】
ところで、近年、長尺フィルム（以下「ロールフィルム」という）をカートリッジに収納した状態で扱う新規格のフィルムシステムが提案されている。この新フィルムのシステムでは、粗読みした全コマの画像をホストコンピュータのモニタ画面に一覧表示し、その一覧表示されたインデックス画面からユーザーが選択したコマの画像を高精度で読み取り表示できる。このとき、ユーザーが選択したコマが複数ある場合は、コマ数分のウィンドウを開きそれぞれ独立した画像として表示できる。
【０００４】
【発明が解決しようとする課題】
しかし、一覧表示されたインデックス画面からユーザーが選択した複数コマの画像が、例えばゴルフのスウィング動作を撮影した一連の連続画像である場合、従来ではそれぞれを独立した静止画像としてしか表示できないので、動作のイメージが解り難い。
【０００５】
また、例えば、１枚には納まらない景色全体の写真を撮るときには複数枚に分けて撮影することがある。ユーザーが選択した複数コマの画像が、このような一連の連続画像である場合に、従来では、１つの画像として表示できないので画像全体の構成が解り難くなり、コマ数によっては表示画像が見にくくなる。
本発明は、このような課題を解決すべくなされたもので、一定の関係を有する画像を、その画像の特性に応じて動画表示または１枚の静止画表示ができる画像表示方法、一定の関係を有する画像の読み取りが行える画像読取装置及び制御手順を記憶する記憶媒体を提供することを目的とする。
【０００６】
【課題を解決するための手段】
請求項１に記載の画像表示装置は、一定の関連を有する複数の静止画を取得する画像取得手段と、取得した各静止画を一定時間毎に順々に切り替えながら切替表示を行う表示手段と、切替表示が、画像表示装置におけるユーザーからの指定の繰り返し回数に到達したか否かを判定する判定手段と、判定手段によって繰り返し回数に到達したと判定されたときは、切替表示を終了する表示制御手段とを備えることを特徴とする。
請求項２に記載の画像表示装置は、請求項１に記載の画像表示装置において、外部からの指示に応じて表示画の切替表示を一時停止する一時停止手段をさらに備えることを特徴とする。
【００１７】
（作用）
請求項１に記載の画像表示装置では、一定の関連を有する複数の静止画を取得し、取得した各静止画を一定時間毎に順々に切り替えて表示する。従って、動画表示がてきる。さらに、繰り返し回数に到達したと判定されたときは、切替表示が終了する。
【００１８】
請求項２に記載の画像表示装置では、外部からの指示に応じて表示画の切替表示を一時停止する。従って、動画表示の途中のシーンを静止して表示できる。
【００２２】
【発明の実施の形態】
以下、本発明の実施の形態を図面を参照して説明する。
図１は、本発明を実施する画像読取システムの構成図である。この画像読取システムは、画像読取装置１と、ホストコンピュータ３０とで構成される。
ホストコンピュータ３０は、中央処理装置、プログラムメモリ及びワーキングメモリを備える。このホストコンピュータ３０は、入力機器としてキーボード・マウスからなる入力装置３１と、出力機器としてモニタ画面を有する表示装置３２とを備える。
【００２３】
画像読取装置１は、中央処理装置（以下「ＣＰＵ」という）１０、メモリ１１、インタフェース回路（以下「ＩＦ回路」という）１２、モータ駆動回路１３、磁気信号処理回路１４、ラインセンサ駆動回路１５、信号処理回路１６、Ａ／Ｄ変換器１７、光源駆動回路１８、光源１９、レンズ２０、ラインセンサ２１、磁気ヘッド２２、光学情報読取センサ２３、原稿位置検出センサ２４、モータ２５等及びカートリッジ２６を装填する装填室、カートリッジ２６から繰り出される長尺フィルム（以下「ロールフィルム」という）２７の搬送路等を備える。
【００２４】
図２は、ロールフィルム２７の外観図である。図２に示すロールフィルム２７は、カートリッジ２６から繰り出した途中の状態を示す。カートリッジ２６は、円筒状のケース２６ａの長手方向の両端にカートリッジスプール２６ｂを回転自在に軸支させ、側方に開口２６ｃを設けてある。ロールフィルム２７は、基端がカートリッジスプール２６ｂに固定され、巻き取られ、全体がケース２６ａ内に収納される。カートリッジスプール２６ｂの正転／逆転の回転駆動に応じて先端が開口２６ｃからケース２６ａ内に出入りする。
【００２５】
図２に示すように、ロームフィルム２７の図中右方に示す先端（引出端）部分の所定領域は、リーダー部と称される。このリーダー部以降に、各コマの画像記憶領域７０が所定の間隔を置いて設けられる。
リーダー部には、そのフィルム幅方向の一端側に磁気記憶領域７１とパーフォレーション７２とが設けられる。また、リーダー部には、そのフィルム幅方向の他端側に磁気記憶領域７３とバーコード７４とが設けられる。
【００２６】
各コマには、その画像記憶領域７０のフィルム幅方向一端の外部に２つのパーフォレーション７５、７６が設けられる。また、各コマには、その画像記憶領域７０のフィルム幅方向他端の外部に磁気記憶領域７７が設けられる。なお、図示省略したが、最終コマを過ぎた後端側には、最終を示すパーフォレーションが設けられる。
【００２７】
磁気記憶領域７１、７３には、当該フィルムのフィルム情報が記憶されている。また、バーコード７４は、当該フィルムのフィルム情報を濃度差によって表示する。フィルム情報には、当該フィルムのタイプや種類、コマ番号、全コマ数等が含まれる。当該フィルムのタイプとは、当該フィルムが、カラーフィルムであるか、モノクロフィルムであるか、ポジフィルムであるか、ネガフィルムであるか等をいう。
【００２８】
そして、各磁気記憶領域７７には、コマ番号、タイトル、撮影日時、撮影条件、指定プリントサイズ等の撮影に関する情報が記録されている。これらは、カメラが撮影時に書込むことができる。ここに、撮影条件には、当該コマの撮影向きが縦位置か横位置かの情報（撮影向き情報）と、当該コマが連続したシーンの一部であるかどうかの情報（連続撮影シーン情報）とが含まれる。
【００２９】
連続シーンの撮影としては、前述したように、例えばゴルフの一連のスイング動作を撮影した場合と、風景等、１コマに入りきらない被写体を複数コマに分けて撮影した場合とがある。これらは、通常、同一露光条件の下で撮影される。また、連続撮影に係る複数コマには、関連付ける情報が記録されることもある。
図１に示す画像読取装置１の概要を説明する。ユーザーがカートリッジ２６を画像読取装置１の装填室に装填する。すると、カートリッジ２６のスプール２６ａがモータ２５の軸に連結される。ユーザーが装填室の蓋を閉めると、画像読取装置１では、電源が各回路に供給され、各回路が起動される。
【００３０】
モータ駆動回路１３は、ＣＰＵ１０からの指示に従い、モータ２５の回転速度、回転方向、停止等の制御をする。モータ２５が正転駆動される場合は、ロールフィルム２７がカートリッジ２６から搬送路へ繰り出される。また、モータ２５が逆転駆動される場合は、ロールフィルム２７が搬送路からカートリッジ２６内に巻き取られる。
【００３１】
原稿位置検出センサ２４は、光学的にロールフィルム２７の各パーフォレーション（図２参照）を検出して、それをＣＰＵ１０に伝える。光学情報読取センサ２３は、ロールフィルム２７のバーコード（図２参照）のフィルム情報を読み取り、それをＣＰＵ１０に伝える。
磁気ヘッド２２は、磁気信号処理回路１４の制御下に、磁気記憶領域（図２参照）の磁気情報を読み取り、それをＣＰＵ１０に伝える。また、磁気ヘッド２２は、磁気信号処理回路１４の制御下に、磁気記憶領域（図２参照）への書き込みを行う。
【００３２】
磁気信号処理回路１４は、ＣＰＵ１０の制御下に、磁気ヘッド２２が読み取った磁気情報をディジタル化してＣＰＵ１０に伝える。また、磁気信号処理回路１４は、ＣＰＵ１０の制御下に、磁気記憶領域（図２参照）に書き込む情報を磁気ヘッド２２に与える。
光源１９は、光源駆動回路１８の制御下に、ロールフィルム２７の一面を照明する。光源１９は、例えばＲ（赤）、Ｇ（緑）、Ｂ（青）の３色の発光ダイオード（以下「ＬＥＤ」という）を備える。この場合には、光源駆動回路１８は、ＣＰＵ１０からの指示に従い、この光源１９の３色のＬＥＤの切替点灯・消灯の制御をする。
【００３３】
また、光源１９は、白色光源でも良い。この場合は、Ｒ（赤）、Ｇ（緑）、Ｂ（青）の３色のフィルタを備えることがある。そして、３色のフィルタを備える場合には、３色のフィルタの切替機構が要る。レンズ２０は、ロールフィルム２７を透過した光源１９の光をラインセンサ２１の受光面に導くべく調節配置される。
【００３４】
ラインセンサ２１は、１列に配置される複数の光電変換部である画像蓄積部と各画像蓄積部に蓄積された電荷を転送する転送部とを備える。複数の光電変換部の配置方向を主走査方向という。ラインセンサ２１は、１列に配置される複数の画像蓄積部の受光面をロールフィルム２７の移動方向（副走査方向という）と直交させて配置される。
【００３５】
このラインセンサ２１は、白黒イメージセンサかカラーイメージセンサかの何れかである。白黒イメージセンサに使用される光源１９は、Ｒ（赤）、Ｇ（緑）、Ｂ（青）の３色の光を切り替える光源または白色光源である。カラーイメージセンサに使用される光源１９は、白色光源である。
ラインセンサ駆動回路１５は、ＣＰＵ１０の指示に従い、主として次の制御動作を行う。ラインセンサ駆動回路１５は、ラインセンサ２１の蓄積動作・蓄積時間の制御を行う。また、ラインセンサ駆動回路１５は、蓄積電荷（画像信号・電気信号）を信号処理回路１６へ掃き出させる主走査の制御を行う。
【００３６】
信号処理回路１６は、ＣＰＵ１０の指示に従い、ラインセンサ２１からの信号を増幅し、信号処理をし、それをＡ／Ｄ変換器１７に与える。信号処理には、暗電流補正、ＣＤＳ（Correlated Double Sampling：相関２重サンプリング）、シェーディング補正、偶奇補正等の処理が含まれる。
Ａ／Ｄ変換器１７は、信号処理回路１６から送られてくる画像信号を所定ビット数のディジタル信号へ変換し、ＣＰＵ１０に伝える。ビット数は、例えば８ビットである。メモリ１１は、プログラムメモリ及びワーキングメモリである。本実施の形態では、ワーキングメモリは、さらに数コマ分の画像データを記憶できる容量を持っている。
【００３７】
ＣＰＵ１０は、メモリ１１に設定されているプログラムに従って各部を制御し本画像読取装置の諸機能を実現する。例えば、ＣＰＵ１０は、カートリッジ２６を装填したときに、ロールフィルム２７の第１コマをラインセンサ２１の読取位置に設定しスタンバイする処理を行う。ＣＰＵ１０は、原稿位置検出センサ２４や光学情報読取センサ２３の出力を受けて、パーフォレーションの位置検出とバーコードの内容解読等を行う。
【００３８】
また、ＣＰＵ１０は、ＩＦ回路１２を介してホストコンピュータ３０から入力する読取指令に従ってモータ駆動回路１３、磁気信号処理回路１４、ラインセンサ駆動回路２１、Ａ／Ｄ変換器１７、光源駆動回路１８を制御し、ロールフィルム２７の画像や磁気情報を読み取りを行わせる。
【００３９】
このとき、本実施の形態では、ロールフィルム２７の１コマ分の画像データが一旦メモリ１１に格納される。ホストコンピュータ３０へは、１コマ分の画像データを一度に出力するようになっている。
本実施の形態のＩＦ回路１２はＳＣＳＩ(Small Computer System Interface）である。ＩＦ回路１２は、ホストコンピュータ３０から受け取った読取指令等の各種の指令をＣＰＵ１０に与える。
【００４０】
ホストコンピュータ３０は、入力装置３１のキーボード・マウスから入力された各種の指令をＩＦ回路１２に与える。また、ホストコンピュータ３０は、ＩＦ回路１２から受け取った画像データを表示装置３２のモニタ画面に表示する。本実施の形態では、ホストコンピュータ３０は、一定の関係を有する数コマ分の画像データを取得し、それを動画表示または合成した静止画表示を行う。
【００４１】
なお、ホストコンピュータ３０は、中央処理装置、プログラムメモリ（ＲＯＭ）、ワーキングメモリ（ＲＡＭ）を備える。また、ホストコンピュータ３０は、ハードディスクドライブ（ＨＤＤ）を備え、ＣＤ−ＲＯＭ等の記憶媒体３０ａに記憶してあるプログラムがセットアップ可能になっている。
図１の構成と請求項との対応関係は、次のようになっている。画像読取手段には、主としてラインセンサ２１が対応する。磁気情報読取手段には、主として磁気ヘッド２２が対応する。検出手段と制御手段には、主としてＣＰＵ１０が対応する。記憶媒体には、ＣＤ−ＲＯＭ等の記憶媒体３０ａが対応する。
【００４２】
以下、図３乃至図８を参照して本実施形態の動作を説明する。なお、図３と図４は、ホストコンピュータ３０の表示動作のフローチャートである。図５は、動画表示の概念図である。図６は、合成方向の設定の説明図である。図７は、共通部の重ね合わせの説明図である。図８は、画像読取装置１の読取動作のフローチャートである。
【００４３】
図３に示すＳ０では、ホストコンピュータ３０は、表示装置３２のモニタ画面に、画像読取装置（以下適宜「スキャナ」と称する）１にどのような画像読み取りを行わせるかの選択画面を表示し、ユーザーの指示入力を待機している。その状態でホストコンピュータ３０は、マウス操作等により入力装置３１から連続読み取りの指示が入力すると、スキャナ１に連続読取コマンドを出力する。
【００４４】
Ｓ１では、ホストコンピュータ３０は、スキャナ１から磁気情報を含む画像データが入力するのを待機している。スキャナ１は、後述する図８に示す手順で磁気情報と画像の読み取りを行う。ホストコンピュータ３０は、スキャナ１から一定の関係を有する複数コマの画像データが入力されると、Ｓ１で肯定（ＹＥＳ）の判定を行い、Ｓ２以降の各処理を実行する。
【００４５】
Ｓ２〜Ｓ４はいわゆる前処理、Ｓ５はユーザーの指示入力を勧誘する処理、Ｓ７〜Ｓ１１は動画表示処理、Ｓ１２〜Ｓ１７は合成静止画表示処理である。
まず、Ｓ２〜Ｓ４の前処理は、次のようなものである。Ｓ２では、ホストコンピュータ３０は、各コマ毎にその磁気情報に縦位置情報が含まれているか否かを判定する。撮影時のカメラの位置が磁気記憶領域７７に書き込まれるので、ホストコンピュータ３０は、各コマの磁気情報を検索し縦位置情報が含まれるコマを検出するのである。
【００４６】
ホストコンピュータ３０は、当該コマの磁気情報に縦位置情報が含まれている場合は、Ｓ２で肯定（ＹＥＳ）の判定を行い、Ｓ３を介してＳ４の処理に進む。Ｓ３では、ホストコンピュータ３０は、当該コマの画像データを９０度回転し、縦位置画像にする。 一方、ホストコンピュータ３０は、当該コマの磁気情報に縦位置情報が含まれていない場合は、Ｓ２で否定（ＮＯ）の判定を行い、Ｓ３をパスしてＳ４の処理に進む。
【００４７】
そして、ホストコンピュータ３０は、Ｓ４で全コマについて前処理が終了したか否かを判定する。終了していない場合は、ホストコンピュータ３０は、Ｓ４で否定（ＮＯ）の判定を行い、Ｓ１の処理に戻って次の画像データの入力を待機する。Ｓ４の判定が肯定（ＹＥＳ）となるまで以上説明した処理を繰り返す。終了した場合は、ホストコンピュータ３０は、Ｓ４で肯定（ＹＥＳ）の判定を行い、Ｓ５の処理に進む。
【００４８】
特に、１コマに収容できない風景等の撮影では、縦位置で撮ったのと横位置で撮ったのとが混在する場合があるので、以上の前処理によって画像の姿勢を予め統一する。ゴルフのスイング動作のような一連の動作の撮影でも同様のことがあり得る。このように予め画像の姿勢を統一しておけば、以後の画像表示処理が円滑に行える。
【００４９】
以上の前処理を終了すると、ホストコンピュータ３０は、表示装置３２のモニタ画面に、動画表示をするか、合成静止画表示をするかの選択画面を表示する。ユーザーは、予めインデックス画面から動画表示をするコマと、合成静止画表示をするコマとを決めている。Ｓ５では、ホストコンピュータ３０は、そのような選択画面でユーザーが動画表示コマンドを入力するか否かを判定する。
【００５０】
ユーザーが動画表示コマンドを入力する場合は、ホストコンピュータ３０は、Ｓ５で肯定（ＹＥＳ）の判定を行い、Ｓ６で動画表示コマンドに切替表示の時間間隔ｔと繰り返しの回数を設定し、動画表示処理(Ｓ７〜Ｓ１１)を実行する。動画表示処理（Ｓ７〜Ｓ１１）は、次のようにして行われる。
Ｓ７では、ホストコンピュータ３０は、表示装置３２のモニタ画面に、一連のコマ画像を時間ｔの間隔で１つずつ切り替えて表示する。これにより各コマ画像が連続した動画の態様で表示される。例えば図５に示すように、ゴルフの一連のスイング動作が連続した動作として表示される。そして、Ｓ８では、ホストコンピュータ３０は、この表示の過程でユーザーが一時静止コマンドを入力するか否かを判定する。
【００５１】
ユーザーが一時静止コマンドを入力する場合は、ホストコンピュータ３０は、Ｓ８で肯定（ＹＥＳ）の判定を行い、即座にＳ９で一時静止コマンドを実行し、当該コマンドの入力時の画像を静止表示する。次のＳ１０では、ホストコンピュータ３０は、一時静止解除コマンドの入力があったか否かを判定する。この静止表示は、Ｓ１０で肯定（ＹＥＳ）の判定がされるまで継続される。そして、ホストコンピュータ３０は、一時静止解除コマンドの入力があると、Ｓ１０で肯定（ＹＥＳ）の判定を行い、動画表示を再開し、Ｓ１１の処理に進む。
【００５２】
一方、Ｓ８において、ユーザーが一時静止コマンドを入力しない場合は、ホストコンピュータ３０は、Ｓ８で否定（ＮＯ）の判定を行い、そのまま動画表示を続行し、Ｓ１１の処理に進む。
Ｓ１１では、ホストコンピュータ３０は、動画表示の最後のコマ画像の表示を行う際に、当該動画表示が、指定の繰り返し回数になったか否かを判定する。指定回数に達していなければ、ホストコンピュータ３０は、Ｓ１１で否定（ＮＯ）の判定を行い、Ｓ７の動画表示処理を続行する。一方、当該動画表示が、指定の繰り返し回数に達した場合は、ホストコンピュータ３０は、Ｓ１１で肯定（ＹＥＳ）の判定を行い、動画表示処理を終了する。
【００５３】
次に、Ｓ５において、ユーザーが合成静止画表示コマンドを入力する場合は、ホストコンピュータ３０は、Ｓ５で否定（ＮＯ）の判定を行い、図４に示す合成静止画表示処理（Ｓ１２〜Ｓ１７）を実行する。なお、合成静止画表示コマンドには、コマ画像を縦方向に合成するか、横方向に合成するかの指定が含まれる。この合成静止画表示処理（Ｓ１２〜Ｓ１７）は、次のようにして行われる。
【００５４】
図４に示すＳ１２では、ホストコンピュータ３０は、ユーザーの指定に従い、図６に示すように、コマ画像を横方向に合成するか（図６（ａ））、縦方向に合成するか（図６（ｂ））の設定を行う。
そして次のＳ１３では、ホストコンピュータ３０は、各コマ画像毎に、他のコマと共通部があるか否かを判定する。例えば、画像データの並びに同じものが存在する部分（領域）は、共通部と判定する（図７（ａ）中の斜線部分）。この共通部の検出は、その他、例えば画像の画素データのレベルの親近性に基づき行う方法もある。
【００５５】
ホストコンピュータ３０は、共通部があればＳ１３で肯定（ＹＥＳ）の判定を行い、Ｓ１４の処理に進む。Ｓ１４では、ホストコンピュータ３０は、図７(b）に示すように、共通部の重ね合わせ処理を行い、Ｓ１５の処理に進む。一方、ホストコンピュータ３０は、共通部がなければＳ１３で否定（ＮＯ）の判定を行いＳ１４の処理をパスしてＳ１５の処理に進む。
【００５６】
ホストコンピュータ３０は、以上の画像合成処理を終了すると、表示装置３２のモニタ画面に、全体表示を行うか、一部表示を行うかの選択画面を表示し、ユーザーの指示を待機する。Ｓ１５では、ホストコンピュータ３０は、ユーザーが全体の画像表示を選択したか否かを判定する。ユーザーが全体の画像表示を選択した場合は、ホストコンピュータ３０は、Ｓ１５で肯定（ＹＥＳ）の判定を行いＳ１６で合成画像の全体を表示し、当該合成静止画表示処理を終了する。
【００５７】
一方、ユーザーが一部の画像表示を選択した場合は、ホストコンピュータ３０は、Ｓ１５で否定（ＮＯ）の判定を行い、Ｓ１７で合成画像の一部をスクロール可能に表示し、当該合成静止画表示処理を終了する。この場合には、ユーザーは画面をマウスでスクロールすることにより、例えば景色を視線方向を変えながら眺めるような表示ができる。
【００５８】
次に、図８を参照して画像読取装置１の読取動作を説明する。Ｓ２１では、ＣＰＵ１０は、ホストコンピュータ３０から送られて来た連続読取コマンドの受付処理を行い、制御動作を開始する。Ｓ２２では、ＣＰＵ１０は、モータ駆動回路１３に指令を送りモータ２５の駆動を開始する。ロールフィルム２７がカートリッジ２６から引き出され、搬送路へ給送される。
【００５９】
Ｓ２３では、ＣＰＵ１０は、原稿位置検出センサ２４の出力を監視し、コマの前側パーフォレーション７５（図２参照）を検出したか否かを判定する。具体的には、図２に示すように、パーフォレーションは各コマ毎に７５と７６の２個ずつ設けられるが、第１コマの前のリーダー部にもう１つパーフォレーション７２が設けられる。従って、ＣＰＵ１０は、原稿位置検出センサ２４のパーフォレーション検出信号をカウントし、パーフォレーション検出信号が偶数回入力した場合は、コマの前側パーフォレーション７５が検出されたと判定する。この検出動作は各コマ毎に行われる。
【００６０】
ＣＰＵ１０は、コマの前側パーフォレーション７５が検出された場合は、Ｓ２３で肯定（ＹＥＳ）の判定を行い、Ｓ２４で磁気信号処理回路１４に指令を送り磁気ヘッド２２に当該コマの磁気記憶領域の磁気情報を読み取らせる。磁気情報には、撮影向き情報と連続撮影シーン情報が含まれる。ＣＰＵ１０は、磁気情報に連続撮影シーン情報を含むコマを検出し、そのコマ番号を記録する。このようにして一定の関係を有する複数のコマが検出される。
【００６１】
Ｓ２５では、ＣＰＵ１０は、最終コマの磁気情報の読み取りを終了すると、原稿位置検出センサ２４の出力を監視し、最終コマを過ぎた後端に設けられる最終パーフォレーションが検出されたか否かを判定する。最終パーフォレーションが検出されない場合は、ＣＰＵ１０は、Ｓ２５で否定（ＮＯ）の判定を行い、再びＳ２５に戻り、最終パーフォレーションが検出されるのを待機する。そして、最終パーフォレーションが検出されると、ＣＰＵ１０は、Ｓ２５で肯定（ＹＥＳ）の判定を行い、Ｓ２６の処理に進む。
【００６２】
Ｓ２６では、ＣＰＵ１０は、モータ駆動回路１３に読み取りコマを指定した指令を送りモータ２５を駆動させ、連続撮影シーン情報を持つコマを読取位置に移動させる。Ｓ２７では、ＣＰＵ１０は、該当コマの１ラインの画像の読み取りを行わせる。具体的には、ＣＰＵ１０は、光源駆動回路１８に指令を送り、光源１９を発光させる。光源１９は赤、緑、青の光を順次発光する。また、ＣＰＵ１０は、ラインセンサ駆動回路１５に指令を送り、ラインセンサ２１に、光源１９が赤、緑、青の光を順次発光するのと同期して読み取ることを行わせる。
【００６３】
ラインセンサ２１は、アナログ画像信号であるＲ（赤）信号、Ｇ（緑）信号、Ｂ（青）信号を出力する。ラインセンサ２１が出力するアナログ画像信号は、信号処理回路１６で画像処理され、Ａ／Ｄ変換器１７でディジタル化され、メモリ１１に記憶される。
Ｓ２８では、ＣＰＵ１０は、ラインセンサ２１の読み取りライン数をカウントしており、所定ライン数の読み取りを完了したか否かを判定する。ＣＰＵ１０はＳ２８の判定が否定（ＮＯ）の場合は、Ｓ２７に戻り次のラインの読み取りを制御する。そして、ＣＰＵ１０は、Ｓ２８の判定が肯定（ＹＥＳ）となると、１コマの全てのラインの画像の読み取りを終了したと判断してＳ２９の処理に進む。
【００６４】
Ｓ２９では、ＣＰＵ１０は、メモリ１１に記憶させた１コマの画像データをその磁気情報と共にホストコンピュータ３０に送信する。そして、次のＳ３０でＣＰＵ１０は、連続撮影シーン情報を持つコマの全てを読み取ったか否かを判定する。Ｓ３０の判定が否定（ＮＯ）の場合は、ＣＰＵ１０は、再びＳ２６の戻り、読み取りの制御動作を行う。Ｓ３０の判定が肯定（ＹＥＳ）の場合は、ＣＰＵ１０は、全てのコマの読み取りを終了したとして読み取りの制御動作を終了する。
【００６５】
なお、上記実施形態においては記憶媒体であるハードディスクドライブにホストコンピュータ３０の中央処理装置の制御プログラムを記憶することとした。
なお、ハードディスクに記憶する図３、図４のフローチャートに示すプログラムは、予めホストコンピュータ３０にセットアップ可能なように、ＣＤ−ＲＯＭ等の記憶媒体３０ａに記憶されている。
【００６６】
ホストコンピュータ３０の中央処理装置の代わりに画像読取装置のＣＰＵ１０を用いても構わない。また、ホストコンピュータ３０のメモリの代わりに画像読取装置のメモリ１１を用いても構わない。その場合、ＲＯＭ（プログラムメモリ）等に図３、図４のフローチャートのプログラムを記憶しておけば良い。そして、ＲＯＭに記憶されたプログラムをメモリ（ワーキングメモリ）に読み出すことにより、画像読取装置のＣＰＵ１０はプログラムの実行を行うことが可能となる。
【００６７】
【発明の効果】
以上説明したように、請求項１に記載の画像表示装置では、動画表示ができるので、カメラで一連の動作を静止画として撮影しても、見る者に動作のイメージを与えることができる。請求項２に記載の画像表示装置では、動画表示の途中のシーンを静止して表示できるので、動作の途中過程の確認ができる。
【図面の簡単な説明】
【図１】本発明の実施の形態の画像読取システムの構成図である。
【図２】長尺フィルム（ロールフィルム）の外観図である。
【図３】ホストコンピュータの表示動作のフローチャートである。
【図４】ホストコンピュータの表示動作のフローチャートである。
【図５】動画表示の概念図である。
【図６】画像の合成方向の設定の説明図である。
【図７】共通部の重ね合わせ処理の説明図である。
【図８】画像読取装置の読取動作のフローチャートである。
【符号の説明】
１０  中央処理装置（ＣＰＵ）
１１  メモリ
１２  インタフェース回路（ＩＦ回路）
１３  モータ駆動回路
１４  磁気信号処理回路
１５  ラインセンサ駆動回路
１６  信号処理回路
１７  Ａ／Ｄ変換器
１８  光源駆動回路
１９  光源
２０  レンズ
２１  ラインセンサ
２２  磁気ヘッド
２３  光学情報読取センサ
２４  原稿位置検出センサ
２５  モータ
２６  カートリッジ
２７  ロールフィルム
３０  ホストコンピュータ
３０ａ  記憶媒体
３１  入力装置
３２  表示装置
【図１】
0004078684.tif 000002
【図２】
0004078684.tif 000003
【図３】
0004078684.tif 000004
【図４】
0004078684.tif 000005
【図５】
0004078684.tif 000006
【図６】
0004078684.tif 000007
【図７】
0004078684.tif 000008
【図８】
0004078684.tif 000009